(57)【要約】【課題】  ＬＣＤ等の表示装置で全体像を見ながら、被写体を大きく記録することが可能なビデオカメラ等の画像記録装置、画像記録方法及び画像記録プログラムを記録した記録媒体を提供する。【解決手段】  ビデオカメラ１００は、記録する解像度よりも高い解像度の画像を入力可能な画像入力部１０１と、入力された画像を表示画面に表示する表示部１０９と、表示画面上で記録したい画像の範囲をＯＳＤ枠３１０として設定し、ＯＳＤ枠３１０で囲まれた範囲の画像を抜き出す記録画像抽出処理を実行する制御部１０３と、抜き出した画像を記録媒体１０８に記録し，また読出しを行う記録読出し部１０７と、ＯＳＤ枠３１０を操作する操作部１１３とを備え、入力画像のうちＯＳＤ枠３１０で指定された画像を記録画像として記録媒体１０８に記録する。【選択図】      図１
2005236753.tif 000002
【特許請求の範囲】
【請求項１】
画像を表示する表示手段を備える画像記録装置であって、
画像を入力可能な画像入力手段と、
入力された画像を表示画面に表示する表示手段と、
前記表示画面上で、記録したい画像の範囲を記録領域枠として設定する記録領域枠設定手段と、
前記画像入力手段により得られた画像から前記記録領域枠で囲まれた範囲の画像を抜き出す記録画像抽出手段と、
抜き出した画像を記録媒体に記録する記録手段と
を備えることを特徴とする画像記録装置。
【請求項２】
画像を表示する表示手段を備える画像記録装置であって、
記録する記録解像度よりも高い解像度の画像を入力可能な画像入力手段と、
入力された画像を表示画面に表示する表示手段と、
前記表示画面上で、記録したい画像の範囲を記録領域枠として設定する記録領域枠設定手段と、
前記画像入力手段により得られた画像から前記記録領域枠で囲まれた範囲の画像を抜き出す記録画像抽出手段と、
抜き出した画像を記録媒体に記録する記録手段と
を備えることを特徴とする画像記録装置。
【請求項３】
さらに、前記画像入力手段から入力された画像を、前記表示画面の表示解像度に合うように画像サイズを変換するサイズ変換手段を備え、
前記表示手段は、変換された画像サイズの画像を表示することを特徴とする請求項１又は２に記載の画像記録装置。
【請求項４】
前記表示手段は、前記表示画面に表示されている画像に前記記録領域枠を重ねて表示することを特徴とする請求項１又は２に記載の画像記録装置。
【請求項５】
前記記録領域枠は、前記表示画面上で、ユーザが任意の大きさ又は位置で設定可能であることを特徴とする請求項１又は２に記載の画像記録装置。
【請求項６】
さらに、前記記録領域枠を任意の位置に移動する操作手段を備えることを特徴とする請求項１又は２に記載の画像記録装置。
【請求項７】
さらに、ＯＳＤ機能部を備え、前記記録領域枠は、前記表示画面上にＯＳＤにより表示されることを特徴とする請求項１又は２に記載の画像記録装置。
【請求項８】
前記画像入力手段は、被写体を撮影する撮影手段を備え、
前記表示手段は、撮影された画像を前記表示画面に表示することを特徴とする請求項１又は２に記載の画像記録装置。
【請求項９】
前記画像入力手段は、画像をデータ転送により入力する入力手段を備えることを特徴とする請求項１又は２に記載の画像記録装置。
【請求項１０】
前記記録手段は、前記記録媒体から画像を読み出す再生手段を備えることを特徴とする請求項１又は２に記載の画像記録装置。
【請求項１１】
前記記録手段は、記録画像を記録画像のサイズに変換するとともに、圧縮して前記記録媒体に記録することを特徴とする請求項１又は２に記載の画像記録装置。
【請求項１２】
表示手段を有する画像記録装置の画像記録方法であって、記録する記録解像度よりも高い解像度の画像を入力するステップと、
入力された画像を表示画面に表示するステップと、
前記表示画面上で、記録したい画像の範囲を記録領域枠として設定するステップと、
入力された画像から前記記録領域枠で囲まれた範囲の画像を抜き出すステップと、
抜き出した画像を記録するステップと
を有することを特徴とする画像記録方法。
【請求項１３】
記録する記録解像度よりも高い解像度の画像を入力するステップと、入力された画像を表示画面に表示するステップと、前記表示画面上で、記録したい画像の範囲を記録領域枠として設定するステップと、入力された画像から前記記録領域枠で囲まれた範囲の画像を抜き出すステップと、抜き出した画像を記録するステップとをコンピュータに実行させるためのプログラム。
【請求項１４】
記録する記録解像度よりも高い解像度の画像を入力するステップと、入力された画像を表示画面に表示するステップと、前記表示画面上で、記録したい画像の範囲を記録領域枠として設定するステップと、入力された画像から前記記録領域枠で囲まれた範囲の画像を抜き出すステップと、抜き出した画像を記録するステップとをコンピュータに実行させるためのプログラムを記録したことを特徴とするコンピュータ読み取り可能な記録媒体。
【発明の詳細な説明】
【技術分野】
【０００１】
本発明は、ビデオカメラ等のカメラ一体型記録再生装置、電子スチルカメラ、カメラ付き携帯電話機等の表示手段を有する画像記録装置、画像記録方法及び画像記録プログラムを記録した記録媒体に関する。
【背景技術】
【０００２】
従来のビデオカメラにおいては、ＬＣＤ等の表示部に表示される画像の画角と実際に記録する画像の画角が同じであった。また、特許文献１には、異なる画角で撮像可能な複数の撮像手段を持ち、複数の撮像手段から得られる画像を合成し記録する画像記録装置が示されている。
【０００３】
【特許文献１】特開２００２−１５２６４６号
【発明の開示】
【発明が解決しようとする課題】
【０００４】
しかしながら、このような従来の画像記録装置にあっては、以下のような問題点があった。
【０００５】
例えば、ユーザがスキーのフォームなど被写体の細部を撮るためにズームインして記録しようとした場合、ＬＣＤ等の表示装置にも被写体が大きく表示されることになるので、被写体が動いた場合などに被写体を見失う可能性が非常に大きくなるという問題点がある。
【０００６】
また逆に、被写体を見失わないためにズームアウトして記録すると、記録した画像を後から再生して見ても被写体の細部がよくわからないという問題点がある。
【０００７】
一方、特許文献１に記載の画像記録装置では、異なる画角で撮像するために複数の撮像手段が必要であり、複数の撮像手段を用いることはシステム全体の大きさ、コスト面で大きな欠点となる。また、２つの撮像手段で撮像した画像を合成して記録するため被写体の周りのみを記録したい場合でも余計な背景まで記録されてしまう。さらに、被写体のみ、背景のみを個別に記録できるように構成されているがこれは記録時間の点で不利になるという問題がある。
【０００８】
本発明は、このような課題に鑑みてなされたものであって、ＬＣＤ等の表示装置で全体像を見ながら、被写体を大きく記録することが可能なビデオカメラ等の画像記録装置、画像記録方法及び画像記録プログラムを記録した記録媒体を提供することを目的とする。
【課題を解決するための手段】
【０００９】
本発明の画像記録装置は、画像を表示する表示手段を備える画像記録装置であって、画像を入力可能な画像入力手段と、入力された画像を表示画面に表示する表示手段と、前記表示画面上で、記録したい画像の範囲を記録領域枠として設定する記録領域枠設定手段と、前記画像入力手段により得られた画像から前記記録領域枠で囲まれた範囲の画像を抜き出す記録画像抽出手段と、抜き出した画像を記録媒体に記録する記録手段とを備えることを特徴としている。
【００１０】
本発明の画像記録装置は、画像を表示する表示手段を備える画像記録装置であって、記録する記録解像度よりも高い解像度の画像を入力可能な画像入力手段と、入力された画像を表示画面に表示する表示手段と、前記表示画面上で、記録したい画像の範囲を記録領域枠として設定する記録領域枠設定手段と、前記画像入力手段により得られた画像から前記記録領域枠で囲まれた範囲の画像を抜き出す記録画像抽出手段と、抜き出した画像を記録媒体に記録する記録手段とを備えることを特徴としている。
【００１１】
さらに、前記画像入力手段から入力された画像を、前記表示画面の表示解像度に合うように画像サイズを変換するサイズ変換手段を備え、前記表示手段は、変換された画像サイズの画像を表示する。
【００１２】
前記表示手段は、前記表示画面に表示されている画像に前記記録領域枠を重ねて表示することがより好ましい。
【００１３】
前記記録領域枠は、前記表示画面上で、ユーザが任意の大きさ又は位置で設定可能であることがより好ましい。
さらに、前記記録領域枠を任意の位置に移動する操作手段を備えることがより好ましい。
【００１４】
より好ましい具体的な態様として、ＯＳＤ機能部を備え、前記記録領域枠は、前記表示画面上にＯＳＤにより表示されるものである。
【００１５】
前記画像入力手段は、被写体を撮影する撮影手段を備え、前記表示手段は、撮影された画像を前記表示画面に表示するものであってもよい。
【００１６】
前記画像入力手段は、画像をデータ転送により入力する入力手段を備えるものであってもよい。
【００１７】
前記記録手段は、前記記録媒体から画像を読み出す再生手段を備えることがより好ましい。
【００１８】
前記記録手段は、記録画像を記録画像のサイズに変換するとともに、圧縮して前記記録媒体に記録することがより好ましい。
【００１９】
本発明の画像記録方法は、表示手段を有する画像記録装置の画像記録方法であって、記録する記録解像度よりも高い解像度の画像を入力するステップと、入力された画像を表示画面に表示するステップと、前記表示画面上で、記録したい画像の範囲を記録領域枠として設定するステップと、入力された画像から前記記録領域枠で囲まれた範囲の画像を抜き出すステップと、抜き出した画像を記録するステップとを有することを特徴している。
【００２０】
別の観点から、本発明は、記録する記録解像度よりも高い解像度の画像を入力するステップと、入力された画像を表示画面に表示するステップと、前記表示画面上で、記録したい画像の範囲を記録領域枠として設定するステップと、入力された画像から前記記録領域枠で囲まれた範囲の画像を抜き出すステップと、抜き出した画像を記録するステップとをコンピュータに実行させるためのプログラムである。
【００２１】
本発明は、記録する記録解像度よりも高い解像度の画像を入力するステップと、入力された画像を表示画面に表示するステップと、前記表示画面上で、記録したい画像の範囲を記録領域枠として設定するステップと、入力された画像から前記記録領域枠で囲まれた範囲の画像を抜き出すステップと、抜き出した画像を記録するステップとをコンピュータに実行させるためのプログラムを記録したことを特徴とするコンピュータ読み取り可能な記録媒体である。
【発明の効果】
【００２２】
以上、詳述したように、本発明によれば、入力画像の一部のみを記録することにより、ＬＣＤ等の表示装置で全体像を見ながら被写体を大きく記録することがきる。その結果、動きのある被写体の撮像操作を格段に向上させながら、記録される画像の質、又は記録時間を大幅に高めることができる。
【発明を実施するための最良の形態】
【００２３】
以下、添付図面を参照しながら本発明の好適な画像記録装置及び画像記録方法の実施の形態について詳細に説明する。
【００２４】
図１は、本発明の実施の形態の画像記録装置の構成を示すブロック図である。本実施の形態の画像記録装置として、ビデオカメラ（カメラ一体型記録再生装置）に適用した例である。
【００２５】
図１において、ビデオカメラ１００（画像記録装置）は、記録する記録解像度よりも高い解像度の画像を入力可能な画像入力部１０１（画像入力手段，撮像手段，入力手段）、ＹＵＶ信号を生成する信号処理部１０２、システム全体を制御するとともに画像記録処理を実行する制御部１０３（記録領域枠設定手段，記録画像抽出手段，ＯＳＤ機能部）、ＤＭＡ（Direct Memory Access）コントローラ１０４、画像処理のための画像データを展開するメモリ１０５、記録画像を圧縮・伸張する画像圧縮伸張部１０６、抜き出した画像を記録媒体１０８に記録し，また読出しを行う記録読出し部１０７（記録手段，再生手段）、記録媒体１０８、入力された画像を表示画面に表示する表示部１０９（表示手段）、記録画像抽出部１１０、入力画像全体が表示部１０９の表示解像度に合うように入力画像全体を縮小するサイズ変換部１１１（サイズ変換手段）、記録画像を記録画像のサイズに変換する記録画像サイズ変換部１１２、及び記録画像を抜き出す範囲を操作する操作部１１３（操作手段，記録領域枠設定手段の一部）を備えて構成される。
【００２６】
画像入力部１０１は、被写体を撮影する撮影レンズ，ズームレンズ，ズームレンズを駆動する駆動モータ，ＣＣＤ（Charge Coupled Device），ＡＧＣ（Automatic Gain Control）等から構成され対象となる画像情報を入力する。本実施の形態では、画像入力部１０１が、被写体を撮影する撮影手段である例について説明したが、入力ポートや通信、外部メディア装着等により画像をデータ転送で入力する入力手段も含まれる。
【００２７】
信号処理部１０２は、入力映像信号をデジタル信号に変換するＡ／Ｄ変換部やフィルタ回路等を備える。信号処理部１０２は、ガンマ補正、フィルタリング、輪郭強調処理等のためのフィルタ回路（図示略）を備える。例えば、画像拡大処理後の「ぼけ」を防ぐための鮮鋭化（sharpening）の目的で用いる高域強調フィルタ、あるいは、画像縮小処理後の「ぎらぎら」を防ぐための平滑化（smoothing）の目的で用いる中央値（メディアン）フィルタ等の空間フィルタである。
【００２８】
制御部１０３は、例えばマイクロコンピュータからなり、画像記録処理などのアプリケーションの処理の実行を含む装置全体の制御を行うとともに、各機能部を総括して制御する。制御部１０３は、制御プログラムや固定データ等を記憶するＲＯＭ、ＣＰＵの作業用記憶領域であるＲＡＭ及び電気的に書換可能な不揮発性メモリであるＥＥＰＲＯＭ（electrically erasable programmable ROM）やFlash ROMなどを備え、プログラム、制御データ、さらにビデオカメラ１００の識別コード等の種々のデータを記憶する。ＥＥＰＲＯＭに書き込むプログラムを変えることによって、ビデオカメラ１００における各種の仕様を変更することができる。制御部１０３は、ＲＯＭの制御プログラム又はＲＯＭからＲＡＭ上に展開された実行プログラムに従って、ＲＡＭを用いて図３及び図４に後述する画像表示処理を実行する。
【００２９】
特に、制御部１０３は、表示部１０９の表示画面上で、記録したい画像の範囲をＯＳＤ枠（記録領域枠）として設定する記録領域枠設定手段と、画像入力部１０１により得られた画像から記録領域枠であるＯＳＤ枠で囲まれた範囲の画像を抜き出す記録画像抽出手段としての機能を有する。
【００３０】
また、制御部１０３は、ＯＳＤ（On Screen Display）発生機能部を有し、記録領域枠であるＯＳＤ枠及び設定情報、時刻、音量などの情報を表示部１０９の画面上に表示する。ＯＳＤ枠は、あらかじめデフォルトの大きさを持つほか、ユーザが表示部１０９の表示画面上で操作部１１３の操作により任意の大きさ又は位置に設定可能である。ところで、ビデオカメラ等の映像装置では、撮影状況、時刻、音量などの情報を画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素が入力画像などの原画像の上に重畳される。
【００３１】
ＤＭＡコントローラ１０４は、プロセッサ（ＣＰＵ）の介入なしに独立して、メモリ１０５とサイズ変換部１１１，記録画像サイズ変換部１１２の間でデータ転送を行うＤＭＡ転送回路である。
【００３２】
メモリ１０５は、画像処理用の専用メモリであり、汎用のメモリであるＤＲＡＭ（Dynamic RAM）部とＳＡＭ（serial access）部とそれらの制御からなる。画像保持用メモリ１０５は、与えられた解像度分だけのメモリサイズが必要である。例えば、展開後の画像のＲＧＢの符号レベルが各８ビットで、縦横の解像度がそれぞれＸＹ（Ｘ，Ｙは、０を除く任意の自然数）であれば、Ｘ×Ｙ×３（ＲＧＢ）×８ビット分のメモリが必要となる。
【００３３】
記録媒体１０８は、デジタルビデオカセット（ＤＶＣ）、又はハードディスクドライブ（ＨＤＤ）等のディスク装置のほか、例えば電源バックアップにより書き込まれた情報を保持するＳＲＡＭ（Static RAM）カードや電源バックアップが不要なフラッシュメモリ等からなるコンパクトフラッシュ（ＣＦ）、スマートメディア、ＳＤカード、メモリースティック等である。記録媒体１０８は、記録読出部１０７により記録・読出し制御される。記録媒体１０８の一部は、本体着脱自在のＰＣカード，コンパクトフラッシュカード，スマートメディア，ＳＤカード，メモリースティック等のカード系、小型ＨＤＤ及び光磁気ディスク等のディスク系の記録媒体も含まれる。この場合、記録読出部１０７はこの記録媒体１０８と制御部１０３とを接続するカードコントローラとしての機能を有する。
【００３４】
表示部１０９は、画像入力部１０１から入力された映像や記録媒体１０８に記憶された画像データを表示するＬＣＤ等からなる画像表示部である。表示部１０９には、撮影された画像データ及び記録媒体から読み出された画像データ、操作のためのガイダンスやグラフィックキャラクタなどが表示される。
【００３５】
操作部１１３は、シャッターボタン，ズームボタン，十字キー，テンキーなどユーザからのキー操作情報を入力生成する。特に、ＯＳＤ枠をユーザが表示部１０９の表示画面上で任意の位置に自在に動かすため十字キー，スティック状ポインティングデバイスを設けることが好ましい。また、図示は省略しているが、ＬＣＤ表示部１０９上に積層されＬＣＤ表示部１０９上に表示される操作ボタン表示をタッチしたことを検出する透明電極からなるタッチパネルを備えており、ＯＳＤ枠移動はタッチパネル操作による入力も含む。
【００３６】
以下、上述のように構成されたビデオカメラ１００の動作を説明する。
【００３７】
図２は、ビデオカメラ１００で画像処理される画像例を示す図であり、図２（ａ）は入力画像を、図２（ｂ）は表示画像を、図２（ｃ）は記録画像をそれぞれ示す。
【００３８】
一例として、画像入力部１０１として２００万画素ＣＣＤを用いた場合の入力画像２００と表示部１０９に表示される表示画像３００、記録媒体１０８に記録される記録画像４００の関係を図２に示す。入力画像２００は１，６００×１，２００の解像度を持ち広い範囲を撮影しているものとする。また、表示部１０９には、入力画像全体が表示部１０９の表示解像度（例えば３２０×２４０）に合うように（一般には、入力画像全体を縮小するように）サイズ変換部１１１で変換された表示画像３００が表示される。また、表示部１０９の表示画面３００上には、記録したい画像の範囲を示すＯＳＤ枠（記録領域枠）３１０がＯＳＤ表示される。一方、記録画像４００は入力画像２００の一部であり、表示部１０９の表示画面３００のＯＳＤ枠３１０で囲まれた範囲の画像が、ユーザが実際に記録したい領域の画像として記録画像４００として抜き出して記録される。
【００３９】
次に、実際の画像入力動作について説明する。ここでは、画像入力動作は撮影動作を例にとる。
【００４０】
図３は、入力画像が表示部１０９に表示されるまでの信号の流れを示すフローチャートであり、図中、Ｓはフローの各ステップを示す。
【００４１】
まず、ステップＳ１で撮影された被写体の光信号は画像入力部１０１に入力され、ステップＳ２で光電交換されてアナログ映像信号となり、ＡＧＣ等の処理を施されて信号処理部１０２へ出力される。信号処理部１０２に入力された映像信号は、ステップＳ３でＡ／Ｄ変換されてデジタル信号になるとともに、ガンマ補正、フィルタリング、輪郭強調処理等が施され、Ｙ（輝度）、Ｕ（赤の色差）、Ｖ（青の色差）信号が生成される。ステップＳ４で制御部１０３は画像処理プログラムに基づいて生成されたＹ、Ｕ、Ｖ信号をメモリ１０５に記憶する。これにより、ステップＳ５で入力画像がメモリ１０５に格納される（図２（ａ）入力画像２００参照）。
【００４２】
次に、記憶されたデジタル映像信号は、ステップＳ６でＤＭＡコントローラ１０４を介してサイズ変換部１１１へ送られて、ステップＳ７で表示部１０９の表示解像度に合う画像サイズに変換された後、表示部１０９により表示される（図２（ｂ）表示画像３００参照）。
【００４３】
図４は、ユーザが記録動作を開始した場合の動作を示すフローチャートである。
入力画像がメモリ１０５に記憶されるまでは図３のフローのステップＳ５と同様である。
【００４４】
メモリ１０５に記憶されたデジタル映像信号は、ステップＳ１１でＤＭＡコントローラ１０４を介して記録画像抽出部１１０へ送られる。ステップＳ１２で記録画像抽出部１１０は、表示部１０９に表示された記録画像を抜き出す範囲を示すＯＳＤ枠３１０（図２（ｂ）参照）に基づいて制御部１０３から指示された範囲の画像のみを記録画像サイズ変換部１１２に送る。例えば、入力画像の解像度が１，６００×１，２００、表示部１０９の表示解像度が３２０×２４０の場合、記録画像の記録解像度は７２０×４８０なので記録画像を抜き出す範囲の大きさをユーザが変更していない場合は表示部１０９に表示されるＯＳＤ枠３１０の大きさは１４４×９６となる。
【００４５】
このＯＳＤ枠３１０をユーザが操作部１１３を介して上下左右に動かすことで、制御部１０３は画像抽出部１１０に対して入力画像のうち記録画像として記録画像サイズ変換部１１２に送る範囲を指示し、画像抽出部１１０は制御部１０３から指示された範囲のみを記録画像サイズ変換部１１２に送る（ステップＳ１３参照）。
【００４６】
次いで、ステップＳ１４でＯＳＤ枠３１０がデフォルト状態か否かを判別する。デフォルト状態ではＯＳＤ枠３１０の大きさは１４４×９６であるため、ステップＳ１５で記録画像サイズ変換部１１２は入力された７２０×４８０の記録解像度の画像がそのまま画像圧縮伸張部１０６に送られ圧縮処理される。圧縮されたデータは、ステップＳ１７で一旦メモリ１０５に記憶された後、ステップＳ１８で制御部１０３により所定のフォーマットに従って、ヘッダ情報を付けられた後に、記録読出し部１０７を介して記録媒体１０８に記録される。
【００４７】
一方、ユーザが操作部１１３を操作することでＯＳＤ枠３１０の大きさを変更した場合は、ステップＳ１６で記録画像サイズ変換部１１１に７２０×４８０以上の解像度の画像が送られるとともに、記録画像サイズ変換部１１２で記録画像の記録解像度（７２０×４８０）にサイズ変換した後、画像圧縮伸張部１０６に送られ圧縮処理される。
【００４８】
以上のように、本実施の形態のビデオカメラ１００は、記録する記録解像度よりも高い解像度の画像を入力可能な画像入力部１０１と、入力された画像を表示画面に表示する表示部１０９と、入力された画像を、表示画面の表示解像度に合うように画像サイズを変換するサイズ変換部１１１と、システム全体を制御するとともに、表示画面上で記録したい画像の範囲をＯＳＤ枠３１０として設定し、ＯＳＤ枠３１０で囲まれた範囲の画像を抜き出す記録画像抽出処理を実行する制御部１０３と、抜き出した画像を記録媒体１０８に記録し，また読出しを行う記録読出し部１０７と、ＯＳＤ枠３１０を操作する操作部１１３とを備え、入力画像のうちＯＳＤ枠３１０で指定された画像を記録画像として記録画像のサイズ変更・データ圧縮して記録媒体１０８に記録するので、入力画像の一部のみを記録することにより、ＬＣＤ等の表示装置で全体像を見ながら被写体を大きく記録することが可能なビデオカメラを実現することができる。
【００４９】
すなわち、スキーのフォームなど激しく動く被写体について、入力画像及び表示画像ではズームアウトした高い解像度でモニタ表示するため被写体を見失うことはなく、また記録したい画像の範囲はユーザがＯＳＤ枠３１０として設定するので、十分な解像度で記録することができる。これにより、全体像を見ながら撮像できるので動きのある被写体の撮像操作を格段に向上させながら、記録される画像の質、又は記録時間を大幅に高めることができる。
【００５０】
また、ＯＳＤ枠３１０はユーザが任意の位置・大きさに設定可能であるため、ユーザの意図した記録が可能になる。なお、ＯＳＤ枠設定を無効、又は表示画面と同じ大きさにするようにすれば従来と同様な撮像と画像記録ができる。
【００５１】
また、本実施の形態では、複数の撮像手段は不要であり、特別な部材の追加を行うことなく実施できるので、コスト面の優位性や装置の小型化は言うまでもなく、実施の容易性や従来機器への迅速な適用が可能である。
【００５２】
なお、上記実施の形態では、画像記録装置として、ビデオカメラ等のカメラ一体型記録再生装置に適用した例であるが、ビデオカメラに限るものでなく、他の画像記録装置でもよい。例えば、デジタルカメラ、カメラ付き携帯電話機，カメラ付きＰＤＡ（Personal Digital Assistants）等の携帯情報端末等の撮影装置のほか、ＨＤＤ，ＤＶＤ，ＤＶＣ等の記録媒体にデータを記録するカメラを有しない画像記録装置に適用できる。
【００５３】
また、ディスク等の記録媒体から読み出す画像データは、非圧縮のデータは勿論のこと、ＪＰＥＧ（Joint Photographic Experts Group）をはじめとする静止画、ＭＰＥＧ（Moving Picture Experts Group）に準拠した動画像などどのような形式のものでもよい。
【００５４】
また、本実施の形態では、ビデオカメラ、カメラ一体型記録再生装置、画像記録装置及び方法という名称を用いたが、これは説明の便宜上であり、撮影装置、デジタルスチルカメラ、カメラ一体型ＶＴＲ、画像処理装置や画像表示方法等でもよいことは勿論である。
【００５５】
さらに、図２に示す入力，表示，記録画像の解像度は一例であり、また表示画面上のＯＳＤ枠の数や配置、色、表示形式等はどのようなものでもよい。
【００５６】
また、記録媒体の種類や記録方法等は限定されず、全ての装置に適用可能である。例えば、記録装置として、ＨＤＤのほかＤＶＤやＣＤ−Ｒ／ＲＷ、ＭＤ（Mini Disc）に記録するものでもよい。特に、データ転送速度やランダム・アクセス性能が高く、高速アクセスが可能なＨＤＤを記録媒体に用いれば、大量に記録した画像の中から所望の画像を瞬時に検索し、直ぐに利用することが可能になる。また、光磁気ディスク等ＨＤＤ以外の記録装置を用いてもよく、同様の効果を得ることができる。
【００５７】
さらに、上記画像記録装置を構成する回路や部材の数、種類などは前述した実施の形態に限られないことは言うまでもなく、ソフトウェアに限らずハードウェアにより実現するようにしてもよい。
【００５８】
また、以上説明した画像記録装置は、これら画像記録装置を機能させるためのプログラムでも実現される。このプログラムはコンピュータで読み取り可能な記録媒体に格納されている。本発明では、この記録媒体として、ＣＰＵのメインメモリそのものがプログラムメディアであってもよいし、また外部記憶装置としてＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合でも、格納されているプログラムはシステム制御部のＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め各装置に格納されているものとする。
【００５９】
ここで、上記プログラムメディアは、通信端末装置又は情報処理装置と分離可能に構成される記録媒体であり、磁気テープやカセットテープ等の磁気ディスクやＣＤ−ＲＯＭ、ＣＤ−Ｒ／ＲＷ、ＭＯ、ＭＤ、ＤＶＤ−ＲＯＭ、ＤＶＤ−ＲＡＭ、ＤＶＤ−ＲＷ等の光ディスクのディスク系、ＰＣカード、コンパクトフラッシュカード、スマートメディア、ＩＣカード、ＳＤカード、メモリースティック等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００６０】
さらに、インターネット接続プロバイダ又は携帯メールサービス等の外部の通信ネットワークとの接続が可能な通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め格納しておくか、あるいは別な記録楳体からインストールされるものであってもよい。なお、記録媒体に格納されている内容としてはプログラムに限定されず、データであってもよい。
【図面の簡単な説明】
【００６１】
【図１】本発明の実施の形態の画像記録装置の構成を示すブロック図である。
【図２】本実施の形態の画像記録装置で画像処理される画像例を示す図である。
【図３】本実施の形態の画像記録装置の入力画像が表示部に表示されるまでの信号の流れを示すフローチャートである。
【図４】本実施の形態の画像記録装置のユーザが記録動作を開始した場合の動作を示すフローチャートである。
【符号の説明】
【００６２】
１００  ビデオカメラ（画像記録装置）
１０１  画像入力部（画像入力手段，撮像手段，入力手段）
１０２  信号処理部
１０３  制御部（記録領域枠設定手段，記録画像抽出手段，ＯＳＤ機能部）
１０４  ＤＭＡコントローラ
１０５  メモリ
１０６  画像圧縮伸張部
１０７  記録読出し部（記録手段，再生手段）
１０８  記録媒体
１０９  表示部（表示手段）
１１０  記録画像抽出部
１１１  サイズ変換部（サイズ変換手段）
１１２  記録画像サイズ変換部
１１３  操作部（操作手段，記録領域枠設定手段の一部）
２００  入力画像
３００  表示画像
３１０  ＯＳＤ枠（記録領域枠）
４００  記録画像
【図１】
2005236753.tif 000003
【図２】
2005236753.tif 000004
【図３】
2005236753.tif 000005
【図４】
2005236753.tif 000006